(57)【特許請求の範囲】
【請求項１】
記録媒体に画像を形成する画像形成装置であって、
筐体と、
前記筐体の内部に配された光源部と、
前記筐体に対して開閉可能な第１カバー体及び第２カバー体と、
前記光源部に対して開閉可能なシャッター体と、
前記第１カバー体及び前記第２カバー体の各々と前記シャッター体とを連結するリンク機構と
を備え、
前記リンク機構は、
前記シャッター体の開閉に連動する第１軸部と、
前記第２カバー体の開閉に連動して、前記第１軸部の周りで回転する係合部と
を有し、
前記第１軸部は、前記係合部が当接する当接部を有し、
前記係合部は、前記第１軸部の径方向の外側に突出し、前記第２カバー体が開状態の際に、前記当接部に係合しており、前記シャッター体を閉状態に維持し、
前記リンク機構は、前記第１カバー体及び前記第２カバー体のいずれか１つが開状態の際に、前記シャッター体を閉状態とし、前記第１カバー体及び前記第２カバー体の全てが閉状態の際に、前記シャッター体を開状態とする、画像形成装置。
【請求項２】
前記第１カバー体及び前記第２カバー体は、前記第１カバー体が開状態の際に前記第２カバー体が開放可能である、請求項１に記載の画像形成装置。
【請求項３】
前記リンク機構は、
前記シャッター体の開閉に連動する第１レバー部と、
前記第１カバー体の開閉に連動する第２レバー部と
を更に有し、
前記第１レバー部は、前記第１カバー体が開状態の際に、前記第２レバー部に係合しており、前記シャッター体を閉状態に維持する、請求項１又は請求項２に記載の画像形成装置。
【請求項４】
前記リンク機構は、
前記第１カバー体の開閉に連動する第２軸部と、
前記第２軸部に揺動可能に支持されて、前記第１レバー部の先端を揺動可能に保持する保持部と
を更に有する、請求項３に記載の画像形成装置。
【請求項５】
前記第２軸部は、前記第１カバー体が閉じられると、一方側に回転され、
前記リンク機構は、前記第２軸部を他方側に付勢する第１付勢部を更に有する、請求項４に記載の画像形成装置。
【請求項６】
前記リンク機構は、
前記第２カバー体の開閉に連動する第３軸部と、
第２付勢部と
を更に有し、
前記第３軸部は、前記第２カバー体が閉じられると、一方側に回転し、
前記第２付勢部は、前記第３軸部を他方側に付勢する、請求項１から請求項５のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、筐体と、光走査装置と、上部カバーと、前部カバーと、シャッターと、リンク部材とを備える。上部カバー、及び前部カバーは、筐体に対して開閉可能である。シャッターは、光走査装置に対して開閉可能である。リンク部材は、上部カバーが開かれると、シャッターを閉状態にし、上部カバーが閉じられると、シャッターを開状態にする。閉状態のシャッターは、光走査装置から出射されるレーザーの光路を遮断する。
【先行技術文献】
【特許文献】
【０００３】
【特許文献１】特開２０１４−２３２２２３号公報
【発明の概要】
【発明が解決しようとする課題】
【０００４】
しかしながら、特許文献１に記載の画像形成装置では、上部カバー、及び前部カバーが開状態の場合に、上部カバーを先に閉じると、リンク部材によってシャッターが開かれる。この結果、筐体の外部にレーザーが漏れるおそれがある。したがって、ユーザーにカバーを閉じる順序を強制しなければならず、ユーザーが満足する利便性を発揮できないおそれがある。
【０００５】
本発明は上記課題に鑑みてなされたものであり、その目的は、ユーザーの利便性を向上できる画像形成装置を提供することにある。
【課題を解決するための手段】
【０００６】
本発明の画像形成装置は、記録媒体に画像を形成する。当該画像形成装置は、筐体と、光源部と、少なくとも２つのカバー体と、シャッター体と、リンク機構とを備える。前記光源部は、前記筐体の内部に配される。前記カバー体は、前記筐体に対して開閉可能である。前記シャッター体は、前記光源部に対して開閉可能である。前記リンク機構は、前記各カバー体と前記シャッター体とを連結する。前記リンク機構は、少なくとも１つの前記カバー体が開かれた際に、前記シャッター体を閉状態とし、前記各カバー体が閉状態の際に、前記シャッター体を開状態とする。
【発明の効果】
【０００７】
本発明の画像形成装置によれば、ユーザーの利便性を向上できる。
【図面の簡単な説明】
【０００８】
【図１】本発明の実施形態に係る画像形成装置を示す斜視図である。
【図２】図１の画像形成装置の構成を模式的に示す図である。
【図３】リンク機構が有する第１リンク機構の構成を示す図である。
【図４】図３の第１リンク機構を示す図である。
【図５】リンク機構が有する第２リンク機構の構成を示す図である。
【図６】図５の第２リンク機構を示す図である。
【図７】第１カバー体、及び第２カバー体が閉状態である際のリンク機構を示す図である。
【図８】第２カバー体が閉状態であり、第１カバー体が開状態に遷移した際のリンク機構を示す図である。
【図９】第１カバー体が開状態であり、第２カバー体が開状態に遷移した際のリンク機構を示す図である。
【図１０】第１カバー体、及び第２カバー体が開状態である際のリンク機構を示す図である。
【図１１】第２カバー体が開状態であり、第１カバー体が閉状態に遷移した際のリンク機構を示す図である。
【図１２】第１カバー体が閉状態であり、第２カバー体が閉状態に遷移した際のリンク機構を示す図である。
【図１３】第１カバー体が開状態であり、第２カバー体が閉状態に遷移した際のリンク機構を示す図である。
【図１４】第２カバー体が閉状態であり、第１カバー体が閉状態に遷移した際のリンク機構を示す図である。
【発明を実施するための形態】
【０００９】
以下、図面を参照して本発明の実施形態を説明する。ただし、本発明は以下の実施形態に限定されない。なお、図中、同一又は相当部分については、同一の参照符号を付して説明を繰り返さない。
【００１０】
図１から図１４を参照して、本発明の実施形態に係る画像形成装置１について説明する。図１は、本発明の実施形態に係る画像形成装置１を示す斜視図である。本実施形態の画像形成装置１は、プリンターである。画像形成装置１は、記録媒体に画像を形成する。なお、画像形成装置１は、複写機、ファクシミリ、又は複合機であってもよい。
【００１１】
図１に示すように、画像形成装置１は、筐体２と、少なくとも２つのカバー体３ａ、３ｂとを備える。筐体２は、略直方体形の箱状に形成されている。以下、本実施形態において、カバー体３ａを第１カバー体３ａと記載し、カバー体３ｂを第２カバー体３ｂと記載する。
【００１２】
本実施形態では、図１において、第１カバー体３ａが取り付く面を画像形成装置１の前面とし、前後方向を規定する。第２カバー体３ｂが取り付く面を画像形成装置１の上面とし、上下方向を規定する。また、前後方向及び上下方向と直交する方向を左右方向と規定する。
【００１３】
図２は、図１の画像形成装置１の構成を模式的に示す図である。図２に示すように、画像形成装置１は、シートＴのような記録媒体に画像を形成する。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１４】
第１カバー体３ａは、筐体２に対して開閉可能である。第１カバー体３ａは、回転軸心を有する。第１カバー体３ａは、回転軸心を介して筐体２に取り付けられる。第１カバー体３ａは、回転軸心によって筐体２に回動可能に支持される。回転軸心は、第１カバー体３ａの下端部に設けられる。したがって、第１カバー体３ａは、仮想線で示すように、下端部を中心として前後方向に開閉可能である。
【００１５】
第１カバー体３ａは、ロック機構を更に有する態様が望ましい。ロック機構は、第１カバー体３ａを閉状態に保持する。ロック機構は、ユーザーが意図しない第１カバー体３ａの開放を防止できる。
【００１６】
第２カバー体３ｂは、筐体２に対して開閉可能である。第２カバー体３ｂは、回転軸心を有する。第２カバー体３ｂは、回転軸心を介して筐体２に取り付けられる。第２カバー体３ｂは、回転軸心によって筐体２に回動可能に支持される。回転軸心は、第２カバー体３ｂの後端部に設けられる。したがって、第２カバー体３ｂは、仮想線で示すように、後端部を中心として上下方向に開閉可能である。
【００１７】
第１カバー体３ａ、及び第２カバー体３ｂの閉状態において、第２カバー体３ｂの前面には、第１カバー体３ａの上端部が当接する。したがって、第２カバー体３ｂは、第１カバー体３ａが開状態の際にのみ開放可能である。この結果、第１カバー体３ａと第２カバー体３ｂとを開状態にするには、第１カバー体３ａを先に開く必要がある。なお、第１カバー体３ａ、及び第２カバー体３ｂを閉じる順序は任意である。第１カバー体３ａ、及び第２カバー体３ｂは、例えば、トナーコンテナの交換、及びジャム処理のようなメンテナンスの際に開放される。
【００１８】
画像形成装置１は、収納部４と、排出部５と、画像形成部６と、定着部７と、シャッター体１０とを更に備える。収納部４、画像形成部６、定着部７、及びシャッター体１０は、筐体２の内部に収容される。シートＴは、収納部４から排出部５まで、所定の用紙搬送経路に沿って搬送される。
【００１９】
収納部４は、カセット４１を有する。カセット４１は、筐体２の下部に配置される。カセット４１は、画像形成装置１の前面側から脱着可能である。また、カセット４１には、複数のシートＴが積載可能である。なお、収納部４は、複数のカセットを有する態様であってもよい。また、収納部４は、手差しトレイを更に有する態様であってもよい。
【００２０】
画像形成部６は、シートＴにトナー画像を形成する。画像形成部６は、感光体ドラム６１と、帯電部６２と、光源部としての露光部６３と、現像部６４と、転写部６５と、クリーニング部６６とを有する。帯電部６２、露光部６３、現像部６４、転写部６５、及びクリーニング部６６は、感光体ドラム６１の周囲に、感光体ドラム６１の回転方向に沿って順に配される。
【００２１】
感光体ドラム６１は、回転可能に配置される。感光体ドラム６１は、例えば、導電性を有する導電性基体と、その外周面に形成された感光層とを有して構成される。
【００２２】
帯電部６２は、感光体ドラム６１を所定電位に帯電する。露光部６３は、帯電された感光体ドラム６１の外周面にレーザー光Ｌを照射する。露光部６３は、レーザー光Ｌによって、感光体ドラム６１の外周面に静電潜像を形成する。静電潜像は、画像データに基づいて形成される。画像データは、例えば、画像形成装置１が外部装置から受信する。露光部６３は、感光体ドラム６１の上方に配置される。露光部６３は、帯電部６２と現像部６４との間の隙間を介して、感光体ドラム６１にレーザー光Ｌを照射する。
【００２３】
現像部６４は、静電潜像をトナー画像として現像する。この結果、感光体ドラム６１の外周面にトナー画像が形成される。転写部６５は、感光体ドラム６１との間で転写ニップを形成する。転写ニップは、用紙搬送経路上に形成される。感光体ドラム６１の外周面に形成されたトナー画像は、転写ニップを通過するシートＴに転写される。クリーニング部６６は、シートＴにトナー画像を転写させた後の感光体ドラム６１に付着する残留トナーを除去する。
【００２４】
定着部７は、用紙搬送経路において、画像形成部６よりも下流側に配置される。定着部７は、トナー画像が転写されたシートＴを加熱、及び加圧して、シートＴにトナー画像を定着させる。トナー画像が定着されたシートＴは、排出部５に排出される。
【００２５】
シャッター体１０は、露光部６３に対して開閉可能である。シャッター体１０は、閉状態の際に、露光部６３から出射されるレーザー光Ｌを遮断する。シャッター体１０は、開状態において、露光部６３から出射されるレーザー光Ｌの光路を開放する。
【００２６】
以下、図３から図６を参照して、シャッター体１０、及びシャッター体１０を開閉させるリンク機構８について説明する。図３は、リンク機構８が有する第１リンク機構８ａの構成を示す図である。詳しくは、図３は、第１リンク機構８ａの右前上方からの斜視図である。また、図３は、第１カバー体３ａが閉状態の際の第１リンク機構８ａを示す。
【００２７】
図３に示すように、シャッター体１０は、軸部１０ａと、平板部１０ｂとを有する。軸部１０ａは、左右方向に沿った軸心を有する。軸部１０ａは、第１方向Ｒ１と第２方向Ｒ２とに回転可能である。平板部１０ｂは、軸部１０ａの軸方向に沿ってのびる板状である。平板部１０ｂは、軸部１０ａの回転に連動して、軸部１０ａの回りで揺動する。
【００２８】
シャッター体１０は、図３に仮想線で示すように、軸部１０ａが第１方向Ｒ１に回転されることにより、開状態から閉状態に遷移する。詳しくは、軸部１０ａが第１方向Ｒ１に回転されることにより、平板部１０ｂの先端部が後方へと持ち上げられる。この結果、シャッター体１０は、閉状態となり、露光部６３から出射されるレーザー光Ｌの光路が遮断される。一方、シャッター体１０は、自重により、閉状態から開状態に遷移する。詳しくは、シャッター体１０の自重により、軸部１０ａが第２方向Ｒ２に回転して、平板部１０ｂの先端部が下方へと降ろされる。この結果、シャッター体１０は、開状態となり、露光部６３から出射されるレーザー光Ｌの光路が開放される。
【００２９】
画像形成装置１は、リンク機構８を更に備える。リンク機構８は、基部８０と、第１軸部８１と、第２軸部８２と、第１レバー部８４と、第２レバー部８５と、第３レバー部８６と、第１押圧部９１と、第１付勢部９３と、保持部９５とを有する。基部８０は、一対に配された第１軸受８０ａと、一対に配された第２軸受８０ｂとを有する。
【００３０】
リンク機構８は、第１カバー体３ａとシャッター体１０とを連結する第１リンク機構８ａを有する。第１リンク機構８ａは、第１カバー体３ａが開かれた際に、シャッター体１０の軸部１０ａを第１方向Ｒ１へと回転させて、シャッター体１０を閉状態とする。第１リンク機構８ａは、第１カバー体３ａが閉じられた際に、シャッター体１０の軸部１０ａを回転可能な状態とする。換言すると、シャッター体１０は、第１カバー体３ａが閉状態の際に、開閉可能である。第１リンク機構８ａは、第１軸部８１と、第２軸部８２と、第１レバー部８４と、第２レバー部８５と、第３レバー部８６と、第１押圧部９１と、第１付勢部９３と、保持部９５とを有して構成される。
【００３１】
第１軸部８１は、シャッター体１０の軸部１０ａの一端面から同心に延設される。第１軸部８１は、第１方向Ｒ１、及び第２方向Ｒ２に回転する。第１軸部８１は、シャッター体１０が自重により第２方向Ｒ２に揺動すると第２方向Ｒ２に回転する。シャッター体１０は、第１軸部８１が第１方向Ｒ１へと回転することで閉状態となる。
【００３２】
第１レバー部８４は、第１軸部８１に固定されている。第１レバー部８４は、第１軸部８１の径方向の外側にのびる。第１レバー部８４は、第１軸部８１の回りで第１方向Ｒ１、及び第２方向Ｒ２に揺動する。第１レバー部８４は、第１軸部８１から略Ｃ字状に屈曲してのびる板状である。
【００３３】
第１レバー部８４は、凸部８４ａを有する。凸部８４ａは、第１レバー部８４の先端部に形成される。凸部８４ａは、第１軸部８１の軸方向に突出する。凸部８４ａは、シャッター体１０が開状態の際に、第１軸部８１の後方に位置する。凸部８４ａは、シャッター体１０が閉状態の際に、第１軸部８１の上方に位置する。
【００３４】
第２軸部８２は、左右方向に沿うように、第１軸受８０ａに軸支される。第２軸部８２は、第１カバー体３ａの開閉に連動して、第３方向Ｒ３、及び第４方向Ｒ４に回転する。第２軸部８２のシャッター体１０側の端部には、第２レバー部８５が固定される。第２軸部８２のシャッター体１０とは反対側の端部には、第３レバー部８６が固定される。第２軸部８２は、凸部８２ａを有する。凸部８２ａは、第２軸部８２の軸方向の略中央部から径方向の外側に突出して形成される。
【００３５】
第２レバー部８５は、第１カバー体３ａの開閉に連動して、第２軸部８２の回りで第３方向Ｒ３、及び第４方向Ｒ４に揺動する。第２レバー部８５は、平板部８５ａと、穴８５ｂとを有する。平板部８５ａは、第２軸部８２の径方向の外側に向かって放射状にのびる板状である。穴８５ｂは、平板部８５ａを第２軸部８２の軸方向に貫通する。穴８５ｂは、平板部８５ａの中央から先端側に形成される。穴８５ｂは、平板部８５ａの先端側に沿って扇形状に形成される。
【００３６】
第２レバー部８５の穴８５ｂには、第１レバー部８４の凸部８４ａが挿通される。第１レバー部８４と第２レバー部８５とは、シャッター体１０が開状態の際に係合している。第２レバー部８５は、第１カバー体３ａが開状態から閉状態に遷移する際に、第４方向Ｒ４に揺動されて、第２軸部８２の前側下方に突出する。第２レバー部８５は、第１カバー体３ａが閉状態から開状態に遷移する際に、第３方向Ｒ３に揺動されて、第２軸部８２の前側上方に突出する。
【００３７】
第１付勢部９３は、第２軸部８２の凸部８２ａと基部８０との間に配される。第１付勢部９３は、引張りバネ、又はゴムのような弾性体を有して構成される。弾性体は、第２軸部８２が第４方向Ｒ４へと回転された際に伸長される。第１付勢部９３は、第１カバー体３ａが開かれた際に、第２軸部８２を第３方向Ｒ３へと回転させる。
【００３８】
保持部９５は、第２軸部８２に揺動可能に支持される。保持部９５は、第１レバー部８４の凸部８４ａを揺動可能に保持する。保持部９５は、第２レバー部８５の穴８５ｂから、凸部８４ａが脱落するのを防止する。
【００３９】
図４は、第１リンク機構８ａを示す図である。詳しくは、図４は、第１リンク機構８ａの左上方からの斜視図である。また、図４は、第１カバー体３ａが閉状態の際の第１リンク機構８ａを示す。
【００４０】
図４に示すように、第３レバー部８６は、第１カバー体３ａの開閉に連動して、第２軸部８２の周りで第３方向Ｒ３、及び第４方向Ｒ４に揺動する。第３レバー部８６は、平板部８６ａを有する。
【００４１】
平板部８６ａは、第２軸部８２の径方向の外側にのびる板状である。第３レバー部８６は、第１カバー体３ａが開状態から閉状態に遷移する際に、第４方向Ｒ４に揺動されて、第２軸部８２の後側下方に突出する。第３レバー部８６は、第１カバー体３ａが閉状態から開状態に遷移する際に、図３を参照して説明した第１付勢部９３によって、第３方向Ｒ３に揺動される。この結果、第３レバー部８６は、第３方向Ｒ３へと揺動されて、第２軸部８２の前側下方へ突出する。
【００４２】
第１押圧部９１は、第１カバー体３ａが開状態から閉状態に遷移する際に、第３レバー部８６を第４方向Ｒ４へと揺動させる。第１押圧部９１は、当接部９１ａと、付勢部９１ｂとを有する。当接部９１ａは、第１カバー体３ａと第３レバー部８６との間をのびる。付勢部９１ｂは、画像形成装置１が備えるフレーム１ａに固着され、当接部９１ａを前後方向に移動可能に支持する。付勢部９１ｂは、当接部９１ａを前方に付勢する弾性体を有する。弾性体は、例えば、押圧バネを含む。
【００４３】
当接部９１ａの前端部は、第１カバー体３ａが閉じられた際に、第１カバー体３ａと当接して後方へと移動される。後方へと移動された当接部９１ａの後端部は、第３レバー部８６の平板部８６ａに当接して、第３レバー部８６を第４方向Ｒ４へと揺動させる。当接部９１ａの後端部は、第１カバー体３が開かれた際に、付勢部９１ｂによって前方へと移動されて、第２軸部８２よりも前方に位置する。その結果、図３を参照して説明した第１付勢部９３が、第２軸部８２を第３方向Ｒ３へと回転させて、第３レバー部８６を下方へと揺動させる。
【００４４】
以上、第１リンク機構８ａについて説明した。第１リンク機構８ａによれば、第１カバー体３ａが開かれると、第２レバー部８５が第３方向Ｒ３に揺動されて、第２レバー部８５が第２軸部８２の前側上方へ持ち上げられる。その結果、シャッター体１０が開状態の際に第１カバー体３ａが開かれると、第１レバー部８４の凸部８４ａが持ち上げられて、第１レバー部８４を介して第１軸部８１が第１方向Ｒ１に回転される。したがって、シャッター体１０は、閉状態とされる。
【００４５】
続いて、図５、及び図６を参照して、リンク機構８が有する第２リンク機構８ｂについて詳しく説明する。図５は、リンク機構８が有する第２リンク機構８ｂの構成を示す図である。詳しくは、図５は、第２リンク機構８ｂの右前上方からの斜視図である。また、図５は、第２カバー体３ｂが閉状態の際の第２リンク機構８ｂを示す。
【００４６】
図５に示すように、リンク機構８は、第３軸部８３と、第４レバー部８７と、第５レバー部８８と、第６レバー部８９と、第２押圧部９２とを更に有する。
【００４７】
リンク機構８は、第２カバー体３ｂとシャッター体１０とを連結する第２リンク機構８ｂを有する。第２リンク機構８ｂは、第２カバー体３ｂが開かれた際に、シャッター体１０の軸部１０ａを第１方向Ｒ１へと回転させて、シャッター体１０を閉状態とする。第２リンク機構８ｂは、第２カバー体３ｂが閉じられた際に、シャッター体１０の軸部１０ａを回転可能な状態とする。換言すると、シャッター体１０は、第２カバー体３ｂが閉状態において、開閉可能である。第２リンク機構８ｂは、第１軸部８１と、第３軸部８３と、第４レバー部８７と、第５レバー部８８と、第６レバー部８９と、第２押圧部９２とを有して構成される。第２押圧部９２は、第２カバー体３ｂの後端部に一体に形成される。第２押圧部９２は、第２カバー体３ｂの回転軸心よりも後側に形成される。
【００４８】
第１軸部８１は、当接部８１ａを有する。当接部８１ａは、第１軸部８１の径方向の外側に突出して形成される。本実施形態では、当接部８１ａが第１レバー部８４の基端部に一体に形成される。
【００４９】
第３軸部８３は、左右方向に沿うように、第２軸受８０ｂに軸支される。第３軸部８３は、第２カバー体３ｂの開閉に連動して、第５方向Ｒ５、及び第６方向Ｒ６に回転する。第３軸部８３のシャッター体１０側の端部には、第５レバー部８８が固定される。第３軸部８３のシャッター体１０とは反対側の端部には、第６レバー部８９が固定される。第３軸部８３は、凸部８３ａを有する。凸部８３ａは、第３軸部８３の軸方向の中央部から径方向の外側に突出して形成される。
【００５０】
第６レバー部８９は、第２カバー体３ｂの開閉に連動して、第３軸部８３の回りで第５方向Ｒ５、及び第６方向Ｒ６に揺動する。第６レバー部８９は、平板部８９ａを有する。平板部８９ａは、第３軸部８３の径方向の外側にのびる板状である。第６レバー部８９は、第２カバー体３ｂが開状態から閉状態に遷移する際に、第６方向Ｒ６に揺動されて、第３軸部８３の後方に突出する。第６レバー部８９は、第２カバー体３ｂが閉状態から開状態に遷移する際に、第５方向Ｒ５に揺動されて、第３軸部８３の下方に突出する。
【００５１】
図６は、図５の第２リンク機構８ｂを示す図である。詳しくは、図６は、第２リンク機構８ｂの右後方からの斜視図である。リンク機構８、及び第２リンク機構８ｂは、第２付勢部９４を更に有する。図６に示すように、第２付勢部９４は、第３軸部８３の凸部８３ａと基部８０との間に配される。第２付勢部９４は、引張バネ、又はゴムのような弾性体を有して構成される。弾性体は、第３軸部８３が第６方向Ｒ６に回転された際に引っ張られて、第３軸部８３を第５方向Ｒ５へと回転させる向きに付勢する。
【００５２】
第２押圧部９２は、突起部９２ａを有する。突起部９２ａは、第３軸部８３の軸方向に突出し、平板部８９ａに係合する。第２押圧部９２は、第２カバー体３ｂが開かれると、第６レバー部８９に対する押圧を解除する。この結果、第３軸部８３は、第２付勢部９４によって第５方向Ｒ５へと回転される。第２押圧部９２の突起部９２ａは、第２カバー体３ｂが閉じられると、第６レバー部８９を押圧する。この結果、第３軸部８３は、第２付勢部９４の付勢力に抗して第６方向Ｒ６へと回転される。
【００５３】
図５に示すように、第５レバー部８８は、第２カバー体３ｂの開閉に連動して、第３軸部８３の回りで第５方向Ｒ５、及び第６方向Ｒ６へと揺動する。第５レバー部８８は、平板部８８ａと、穴８８ｂとを有する。平板部８８ａは、第３軸部８３から径方向の外側にのびる。穴８８ｂは、平板部８８ａを第３軸部８３の軸方向に貫通する。穴８８ｂは、平板部８８ａの中央から先端側に形成される。第５レバー部８８は、第２カバー体３ｂが開状態から閉状態に遷移する際に、第６方向Ｒ６に揺動されて、第３軸部８３から下方に突出する。第５レバー部８８は、第２カバー体３ｂが閉状態から開状態に遷移する際に、第５方向Ｒ５に揺動されて、第３軸部８３から前方に突出する。
【００５４】
第４レバー部８７の基端部には、第１軸部８１が挿通される。第４レバー部８７は、第１軸部８１の回りで揺動可能である。第４レバー部８７は、略Ｃ字状に屈曲して形成される。第４レバー部８７は、第４レバー部８７の先端部に、第１軸部８１の軸方向に突出する凸部を有する。凸部は、第５レバー部８８の穴８８ｂに挿入される。したがって、第４レバー部８７と第５レバー部８８とが係合される。第４レバー部８７は、第２カバー体３ｂが開状態から閉状態に遷移して、第５レバー部８８が第６方向Ｒ６へと揺動される際に、第２方向Ｒ２へと揺動されて、第１軸部８１の後方に突出する。第４レバー部８７は、第２カバー体３ｂが閉状態から開状態に遷移して、第５レバー部８８が第５方向Ｒ５へと揺動される際に、第１方向Ｒ１へと揺動されて、第１軸部８１の上方に突出する。
【００５５】
第４レバー部８７の基端部には、係合部９６が一体に形成される。係合部９６は、第２カバー体３ｂの開閉に連動して、第１方向Ｒ１、及び第２方向Ｒ２へと第１軸部８１の回りで回転する。係合部９６は、シャッター体１０の開状態において、第４レバー部８７が第１方向Ｒ１に揺動された際に、第１軸部８１の当接部８１ａに係合する。この結果、第４レバー部８７は、第２カバー体３ｂが開かれる際に、第１軸部８１を第１方向Ｒ１へと回転させて、シャッター体１０を閉状態とする。一方、係合部９６は、第２カバー体３ｂ、及びシャッター体１０が閉状態の際には、当接部８１ａと係合しない。
【００５６】
続いて、図３から図１４を参照して、リンク機構８の動作について説明する。まず、第１カバー体３ａ、及び第２カバー体３ｂが開状態に遷移される際のリンク機構８の動作について説明する。図７は、第１カバー体３ａ、及び第２カバー体３ｂが閉状態である際のリンク機構８を示す図である。図８は、第２カバー体３ｂが閉状態であり、第１カバー体３ａが開状態に遷移した際のリンク機構８を示す図である。図９は、第１カバー体３ａが開状態であり、第２カバー体３ｂが開状態に遷移した際のリンク機構８を示す図である。なお、図７から図９には、第１カバー体３ａを図示していない。
【００５７】
図７に示すように、リンク機構８は、第１カバー体３ａ、及び第２カバー体３ｂが閉状態の際に、シャッター体１０を開閉可能とする。シャッター体１０は、シャッター体１０の自重によって開状態となる。
【００５８】
本実施形態では、第２カバー体３ｂを開状態にするには、第１カバー体３ａをまず開状態にする必要がある。図８に示すように、リンク機構８は、第２カバー体３ｂが閉状態の際に、第１カバー体３ａが開状態に遷移すると、シャッター体１０を閉状態とする。第１カバー体３ａが開かれると、図３、及び図４を参照して説明したように、第１押圧部９１の当接部９１ａが付勢部９１ｂによって前方に移動する。当接部９１ａが前方に移動すると、第１付勢部９３によって、第２軸部８２が第３方向Ｒ３へと回転される。したがって、第２軸部８２の回転とともに、第２レバー部８５が第３方向Ｒ３へと揺動されて、第２レバー部８５に係合する第１レバー部８４が第１方向Ｒ１へと揺動される。この結果、第１軸部８１が第１方向Ｒ１へと回転されて、シャッター体１０が閉状態とされる。
【００５９】
第１カバー体３ａが開状態であり、シャッター体１０が閉状態の際には、上方に突出する第１レバー部８４と、前側上方に突出する第２レバー部８５とが係合している。よって、リンク機構８は、第２カバー体３ｂの開閉によらず、シャッター体１０を閉状態に維持する。
【００６０】
したがって、図９に示すように、第１カバー体３ａが開状態において、第２カバー体３ｂが開状態に遷移した際に、シャッター体１０は、閉状態に維持されている。一方、図５、及び図６を参照して説明したように、第２カバー体３ｂが開かれると、第２付勢部９４により第６レバー部８９を第５方向Ｒ５へと揺動させ、第３軸部８３を介して第５レバー部８８が第５方向Ｒ５へと揺動される。したがって、第５レバー部８８の揺動とともに、第４レバー部８７が第１方向Ｒ１へと揺動されて、係合部９６と第１軸部８１の当接部８１ａとが係合される。
【００６１】
次に、第１カバー体３ａが閉状態に遷移された後に、第２カバー体３ｂが閉状態に遷移される際のリンク機構８の動作について説明する。図１０は、第１カバー体３ａ、及び第２カバー体３ｂが開状態である際のリンク機構８を示す図である。図１１は、第２カバー体３ｂが開状態であり、第１カバー体３ａが閉状態に遷移した際のリンク機構８を示す図である。図１２は、第１カバー体３ａが閉状態であり、第２カバー体３ｂが閉状態に遷移した際のリンク機構８を示す図である。なお、図１０から図１２には、第１カバー体３ａを図示していない。
【００６２】
図１０に示すように、第１カバー体３ａ、及び第２カバー体３ｂが開状態である際には、第１レバー部８４の凸部８４ａと、第２レバー部８５の穴８５ｂの下端側の縁とが係合する。また、図５、及び図９を参照して説明したように、係合部９６と第１軸部８１の当接部８１ａとが係合する。この結果、シャッター体１０は、第１カバー体３ａが開状態の際に、第２カバー体３ｂが閉じられても、第１リンク機構８ａによって閉状態に維持される。また、シャッター体１０は、第２カバー体３ｂが開状態の際に、第１カバー体３ａが閉じられても、第２リンク機構８ｂによって閉状態に維持される。
【００６３】
したがって、図１１に示すように、第２カバー体３ｂが開状態において、第１カバー体３ａが閉状態に遷移した際に、シャッター体１０は、閉状態に維持されている。詳しくは、図３を参照して説明したように、第１カバー体３ａが閉じられると、第１押圧部９１の当接部９１ａが後方に移動して、第３レバー部８６が第４方向Ｒ４へと揺動される。第３レバー部８６のこの揺動により、第２軸部８２を介して第２レバー部８５が第４方向Ｒ４へと揺動される。一方、第１軸部８１は、第４レバー部８７の係合部９６と第１軸部８１の当接部８１ａとが係合するために回転しない。この結果、シャッター体１０は、閉状態に維持される。したがって、第１レバー部８４も揺動せず、凸部８４ａの位置は変位しない。このとき、凸部４８ａは、第２レバー部８５の穴８５ｂ内を相対的に移動する。
【００６４】
図１２に示すように、リンク機構８は、第１カバー体３ａが閉状態の際に、第２カバー体３ｂが閉状態に遷移すると、シャッター体１０を開閉可能とする。詳しくは、図５、及び図６を参照して説明したように、第２カバー体３ｂが閉じられると、第２押圧部９２の突起部９２ａにより、第６レバー部８９が押圧される。第２押圧部９２の突起部９２ａにより押圧されると、第３軸部８３とともに第５レバー部８８が第６方向Ｒ６へと揺動される。第５レバー部８８が第６方向Ｒ６へと揺動すると、第４レバー部８７が第２方向Ｒ２へと揺動される。したがって、第４レバー部８７の係合部９６と第１軸部８１の当接部８１ａとの係合が解除されて、第１軸部８１の第２方向Ｒ２への回転が可能となる。この結果、シャッター体１０は、自重によって第２方向Ｒ２へと揺動して開状態となる。
【００６５】
次に、第２カバー体３ｂが閉状態に遷移された後に、第１カバー体３ａが閉状態に遷移される際のリンク機構８の動作について説明する。図１３は、第１カバー体３ａが開状態であり、第２カバー体３ｂが閉状態に遷移した際のリンク機構８を示す図である。図１４は、第２カバー体３ｂが閉状態であり、第１カバー体３ａが閉状態に遷移した際のリンク機構８を示す図である。なお、図１３、及び図１４には、第１カバー体３ａを図示していない。
【００６６】
図１３に示すように、第１カバー体３ａが開状態において、第２カバー体３ｂが閉状態に遷移した際に、シャッター体１０は、閉状態に維持されている。詳しくは、図５、及び図６を参照して説明したように、第２カバー体３ｂが閉じられると、第２押圧部９２の突起部９２ａにより、第６レバー部８９が押圧される。第２押圧部９２の突起部９２ａにより押圧されると、第２付勢部９４の付勢力に抗して第３軸部８３とともに第５レバー部８８が第６方向Ｒ６へと揺動される。第５レバー部８８が第６方向Ｒ６へと揺動すると、第４レバー部８７が第２方向Ｒ２へと揺動される。一方、第１軸部８１は、第１レバー部８４の凸部８４ａと、第２レバー部８５の穴８５ｂの下端側の縁とが係合するために回転しない。この結果、シャッター体１０は、閉状態に維持される。このとき、第４レバー部８７の係合部９６と第１軸部８１の当接部８１ａとの係合は解除される。
【００６７】
図１４に示すように、リンク機構８は、第２カバー体３ｂが閉状態の際に、第１カバー体３ａが閉状態に遷移すると、シャッター体１０を開閉可能とする。詳しくは、図３を参照して説明したように、第１カバー体３ａが閉じられると、第１押圧部９１の当接部９１ａが後方に移動して、第３レバー部８６が第４方向Ｒ４へと揺動される。第３レバー部８６のこの揺動により、第２軸部８２を介して第２レバー部８５が第４方向Ｒ４へと揺動される。したがって、第１レバー部８４の凸部８４ａと、第２レバー部８５の穴８５ｂの下端側の縁との係合が解除されて、第１軸部８１の第２方向Ｒ２への回転が可能となる。この結果、シャッター体１０は、自重によって第２方向Ｒ２へと揺動して開状態となる。
【００６８】
本実施形態の画像形成装置１によれば、第１カバー体３ａが開かれた際に、リンク機構８によってシャッター体１０が閉じられる。また、第１カバー体３ａ、及び第２カバー体３ｂが閉じられた際に、リンク機構８によってシャッター体１０が開かれる。したがって、ユーザーが第１カバー体３ａを先に閉じても、又は第２カバー体３ｂを先に閉じても、筐体２の外部にレーザー光Ｌが漏れるのを防止できる。この結果、ユーザーは任意の順序で第１カバー体３ａ、及び第２カバー体３ｂを開けることができ、ユーザーの利便性を向上できる。
【００６９】
以上、図１から図１４を参照しながら本実施形態について説明した。但し、本発明は、上記の実施形態に限られるものではなく、その要旨を逸脱しない範囲で種々の態様において実施することが可能である。例えば、本発明の実施形態では、シャッター体１０は、自重によって開状態となったが、本発明はこれに限定されない。シャッター体１０は、例えば、付勢部、又は駆動部によって開状態とされる態様であってもよい。付勢部は、シャッター体１０を開状態に付勢する。駆動部は、シャッター体１０を開状態へと駆動させる。
【００７０】
なお、各図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００７１】
本発明は、画像形成装置に関するものであり、産業上の利用可能性を有する。
【符号の説明】
【００７２】
１        画像形成装置
２        筐体
３ａ        第１カバー体
３ｂ        第２カバー体
８        リンク機構
１０      シャッター体
６３      露光部
【図１】
0006497348.tif 000002
【図２】
0006497348.tif 000003
【図３】
0006497348.tif 000004
【図４】
0006497348.tif 000005
【図５】
0006497348.tif 000006
【図６】
0006497348.tif 000007
【図７】
0006497348.tif 000008
【図８】
0006497348.tif 000009
【図９】
0006497348.tif 000010
【図１０】
0006497348.tif 000011
【図１１】
0006497348.tif 000012
【図１２】
0006497348.tif 000013
【図１３】
0006497348.tif 000014
【図１４】
0006497348.tif 000015